(57)【要約】  ユーザデバイスにおけるＷｉＭＡＸ／ＧＳＭ同時動作は、対応するＧＳＭフレームと競合する可能性があるＷｉＭＡＸフレームの間は、ＷｉＭＡＸの非アクティブ期間とするよう調整することによって容易になる。【選択図】図１
2010515373.tif 000002
【特許請求の範囲】
【請求項１】
ユーザデバイスに対応付けられた、ＧＳＭフレームのストリームおよび同時に発生するＷｉＭＡＸフレームのストリーム内の反復フレームパターンを識別する段階と、
前記ユーザデバイスのＧＳＭ通信動作と競合する可能性がある前記反復フレームパターン内のＷｉＭＡＸフレームを、前記ユーザデバイスに対してアクティブである場合に識別する段階と、
前記反復フレームパターンにおける、競合する可能性がある前記ＷｉＭＡＸフレームの間は、前記ユーザデバイスがＷｉＭＡＸネットワークに対し非アクティブとなるよう、ＷｉＭＡＸ基地局と連携する段階と、
を備える方法。
【請求項２】
前記反復フレームパターンの後続の反復フレームパターンにおける、競合する可能性がある前記ＷｉＭＡＸフレーム以外のＷｉＭＡＸフレーム内で、前記ＷｉＭＡＸ基地局と通信する段階をさらに備える、請求項１に記載の方法。
【請求項３】
終了イベントが検出された場合、前記ＷｉＭＡＸ基地局と連携し、通常のＷｉＭＡＸ動作を再開する段階をさらに備える、請求項２に記載の方法。
【請求項４】
前記終了イベントは、現在のＧＳＭコールの終了を含む、請求項３に記載の方法。
【請求項５】
前記ＧＳＭ通信動作と競合する可能性があるＷｉＭＡＸフレームを識別する段階は、ＧＳＭフレームの送信スロットと時間的に重複するダウンリンクサブフレームを有するＷｉＭＡＸフレームを識別する段階を有する、請求項１に記載の方法。
【請求項６】
前記ＧＳＭ通信動作と競合する可能性があるＷｉＭＡＸフレームを識別する段階は、ＧＳＭフレームの受信スロットと時間的に重複するアップリンクサブフレームを有するＷｉＭＡＸフレームを識別する段階を有する、請求項１に記載の方法。
【請求項７】
前記反復フレームパターンを識別する段階は、前記反復フレームパターンの開始点を定める段階を有する、請求項１に記載の方法。
【請求項８】
前記反復フレームパターンの開始点を定める段階は、最小値｜ｄｅｌｔａｉ，ｊ｜となるＷｉＭＡＸフレームを識別する段階を有し、ｄｅｌｔａｉ，ｊは、ＷｉＭＡＸフレームｉの始まりと、ＧＳＭフレームｊの送信スロットの終わりとの間の時間差である、請求項７に記載の方法。
【請求項９】
前記反復フレームパターンは、連続するＭ個のＷｉＭＡＸフレームの持続時間に等しく、かつ、連続するＮ個のＧＳＭフレームの持続時間に等しい持続時間を有し、ＭおよびＮは整数である、請求項１に記載の方法。
【請求項１０】
Ｍは１２であり、Ｎは１３である、請求項９に記載の方法。
【請求項１１】
前記ＷｉＭＡＸネットワークに対して非アクティブになるようＷｉＭＡＸ基地局と連携する段階は、前記ＷｉＭＡＸ基地局に非アクティブリクエストメッセージを送信して非アクティブになることを要求する段階を有する、請求項１に記載の方法。
【請求項１２】
前記ＷｉＭＡＸネットワークに対して非アクティブになるようＷｉＭＡＸ基地局と連携する段階は、定期的な節電機能を用いて前記ＷｉＭＡＸネットワークに対し非アクティブとする段階を有する、請求項１に記載の方法。
【請求項１３】
前記ＷｉＭＡＸネットワークに対して非アクティブになるようＷｉＭＡＸ基地局と連携する段階は、定期的なスキャン機能を用いて前記ＷｉＭＡＸネットワークに対し非アクティブとする段階を有する、請求項１に記載の方法。
【請求項１４】
装置であって、
ＧＳＭ基地局との無線通信をサポートするＧＳＭトランシーバと、
ＷｉＭＡＸ基地局との無線通信をサポートするＷｉＭＡＸトランシーバと、
前記ＧＳＭトランシーバと前記ＷｉＭＡＸトランシーバとの同時動作を促進するコントローラと、
を備え、
前記コントローラは、ＧＳＭフレームのストリームおよび同時に発生するＷｉＭＡＸフレームのストリーム内の反復フレームパターンを識別し、前記ＧＳＭトランシーバのＧＳＭ通信動作と競合する可能性がある前記反復フレームパターン内のＷｉＭＡＸフレームを、前記装置に対してアクティブである場合に識別し、前記反復フレームパターンにおける、競合する可能性がある前記ＷｉＭＡＸフレームの間は、前記装置がＷｉＭＡＸネットワークに対し非アクティブとなるよう、ＷｉＭＡＸ基地局と連携する、
装置。
【請求項１５】
前記ＷｉＭＡＸトランシーバは、前記反復フレームパターンの後続の反復フレームパターンにおける、競合する可能性がある前記ＷｉＭＡＸフレーム以外のＷｉＭＡＸフレーム内で、前記ＷｉＭＡＸ基地局と通信する、請求項１４に記載の装置。
【請求項１６】
現在のＧＳＭコールの終了が検出された場合、前記ＷｉＭＡＸトランシーバは、前記ＷｉＭＡＸ基地局と連携し、通常のＷｉＭＡＸ動作を再開する、請求項１５に記載の装置。
【請求項１７】
前記コントローラは、ＧＳＭフレームの送信スロットと時間的に重複するダウンリンクサブフレームを有する、前記反復フレームパターン内のＷｉＭＡＸフレームを識別することによって、ＧＳＭ通信動作と競合する可能性のあるＷｉＭＡＸフレームを識別する、請求項１４に記載の装置。
【請求項１８】
前記コントローラは、ＧＳＭフレームの受信スロットと時間的に重複するアップリンクサブフレームを有する、前記反復フレームパターン内のＷｉＭＡＸフレームを識別することによって、ＧＳＭ通信動作と競合する可能性のあるＷｉＭＡＸフレームを識別する、請求項１７に記載の装置。
【請求項１９】
前記コントローラは、前記ＷｉＭＡＸ基地局と連携し、定期的な節電機能を用いて前記ＷｉＭＡＸネットワークに対して非アクティブとする、請求項１４に記載の装置。
【請求項２０】
前記コントローラは、前記ＷｉＭＡＸ基地局と連携し、定期的なスキャン機能を用いて前記ＷｉＭＡＸネットワークに対して非アクティブとする、請求項１４に記載の装置。
【請求項２１】
前記コントローラは、前記ＷｉＭＡＸトランシーバの一部である、請求項１４に記載の装置。
【請求項２２】
命令を記憶したコンピュータ可読記憶媒体を備える物品であって、前記命令は、コンピュータプラットフォームによって実行されると、
ユーザデバイスに対応付けられた、ＧＳＭフレームのストリームおよびＷｉＭＡＸフレームのストリーム内の反復フレームパターンを識別する段階と、
前記ユーザデバイスのＧＳＭ通信動作と競合する可能性がある前記反復フレームパターン内のＷｉＭＡＸフレームを、前記ユーザデバイスに対してアクティブである場合に識別する段階と、
前記反復フレームパターンにおける、競合する可能性がある前記ＷｉＭＡＸフレームの間は、前記ユーザデバイスがＷｉＭＡＸネットワークに対し非アクティブとなるよう、ＷｉＭＡＸ基地局と連携する段階と、
を行わせる、物品。
【請求項２３】
前記ＧＳＭ通信動作と競合する可能性があるＷｉＭＡＸフレームを識別する段階は、ＧＳＭフレームの送信スロットと時間的に重複するダウンリンクサブフレームを有するＷｉＭＡＸフレームを識別する段階を有する、請求項２２に記載の物品。
【請求項２４】
前記ＧＳＭ通信動作と競合する可能性があるＷｉＭＡＸフレームを識別する段階は、ＧＳＭフレームの受信スロットと時間的に重複するアップリンクサブフレームを有するＷｉＭＡＸフレームを識別する段階を有する、請求項２３に記載の物品。
【請求項２５】
ダイポールアンテナと、
前記ダイポールアンテナに結合され、ＧＳＭ基地局との無線通信をサポートするＧＳＭトランシーバと、
ＷｉＭＡＸ基地局との無線通信をサポートするＷｉＭＡＸトランシーバと、
前記ＧＳＭトランシーバと前記ＷｉＭＡＸトランシーバとの同時動作を促進するコントローラと、
を備え、
前記コントローラは、ＧＳＭフレームのストリームおよび同時に発生するＷｉＭＡＸフレームのストリーム内の反復フレームパターンを識別し、前記ＧＳＭトランシーバのＧＳＭ通信動作と競合する可能性がある前記反復フレームパターン内のＷｉＭＡＸフレームを、装置に対してアクティブである場合に識別し、前記反復フレームパターンにおける、競合する可能性がある前記ＷｉＭＡＸフレームの間は、前記装置がＷｉＭＡＸネットワークに対し非アクティブとなるよう、ＷｉＭＡＸ基地局と連携する、
システム。
【請求項２６】
前記コントローラは、ＧＳＭフレームの送信スロットと時間的に重複するダウンリンクサブフレームを有する、前記反復フレームパターン内のＷｉＭＡＸフレームを識別することによって、ＧＳＭ通信動作と競合する可能性のあるＷｉＭＡＸフレームを識別する、請求項２５に記載のシステム。
【請求項２７】
前記コントローラは、ＧＳＭフレームの受信スロットと時間的に重複するアップリンクサブフレームを有する、前記反復フレームパターン内のＷｉＭＡＸフレームを識別することによって、ＧＳＭ通信動作と競合する可能性のあるＷｉＭＡＸフレームを識別する、請求項２５に記載のシステム。
【発明の詳細な説明】
【技術分野】
【０００１】
本発明は、概して無線通信に関し、より詳しくは、複数の無線技術を単一のデバイス内で同時に実行できるようにする技術に関する。
【背景技術】
【０００２】
現代の通信デバイスの多くは、複数の異なる無線技術によって動作するようになっている。ほとんどの場合、２つの異なる無線技術を用いて同時に動作することが望ましい。例えば、デバイスのユーザは、ネットサーフィンを楽しみながら携帯電話の無線リンクを介して電話で会話したいかもしれない。このような同時動作に伴って生じる可能性のある問題は、無線技術の一方がもう一方を干渉する可能性があるということである。２つの無線技術が異なる周波数帯域内で実行されたとしても、このような干渉は起こりうる。例えば、無線技術の一方は、他方の無線技術の使用周波数帯域内での動作の間に、高調波または他のスプリアス周波数成分を生じさせるかもしれない。そこで２つの異なる無線技術が同時に実行される場合に生じうる干渉を減少させる技術が必要とされる。
【図面の簡単な説明】
【０００３】
【図１】本発明の一実施形態に係るユーザデバイスを示すブロック図である。
【０００４】
【図２】本発明の一実施形態に係る、共通のデバイス内に配置されたＧＳＭトランシーバおよびＷｉＭＡＸトランシーバを含む通信状態の一例を示すタイミング図である。
【０００５】
【図３】本発明の一実施形態に係る、ユーザデバイスにおけるＷｉＭＡＸトランシーバとＧＳＭトランシーバとの同時動作を提供する方法を示すフローチャートである。
【０００６】
【図４】本発明の一実施形態に係る、ＧＳＭフレームストリームおよびＷｉＭＡＸフレームストリームの反復フレームパターンを識別する方法の一例を示すフローチャートである。
【発明を実施するための形態】
【０００７】
以下の詳細な説明において、例えば、本発明が実施される特定の実施形態を示す添付の図面への参照がなされる。これらの実施形態は、当業者が本発明を実施できるよう十分詳細に説明される。さまざまな実施形態は、異なっていたとしても必ずしも相互排除的ではないことを理解されたい。例えば、一実施形態と関連付けて本願明細書中に記載される特定の特徴、構造、または、特性は、本発明の趣旨および範囲に逸脱せずに他の実施形態にも実装されてよい。さらに、それぞれ開示された実施形態における個別の構成要素の位置または配列は、本発明の趣旨および範囲に逸脱せずに変更されうることを理解されたい。したがって、以下の詳細な説明は、限定の意味合いで取られるべきでなく、本発明の範囲は、添付の請求項の範囲によってのみ定義され、権利範囲である均等物の範囲全体と共に適切に解釈される。図面において、同様の参照符号は、いくつかの図面を通じて同じまたは同様の機能を示す。
【０００８】
図１は、本発明の一実施形態に係る一例としてのユーザデバイス１０を示すブロック図である。図に示すように、ユーザデバイス１０は、ＧＳＭトランシーバサブシステム１４、ＷｉＭＡＸトランシーバサブシステム１２、ホストコントローラ１６、および、ユーザインターフェース１８を有してよい。ホストコントローラ１６は、ユーザデバイス１０に対し、全体的なシステム制御、および、他の機能を提供してよい。ユーザインターフェース１８は、ユーザとユーザデバイス１０との間のインターフェースを提供し、例えば、キーボード、キーパッド、ディスプレイ、ポインティングデバイス、スピーカ、マイクロフォン、および／または、その他のうちの１つ以上を含んでよい。ＷｉＭＡＸトランシーバ１２は、ＩＥＥＥ８０２．１６無線ネットワーク規格（および／または関連した規格）に従い、無線通信をサポートしてよい。ＷｉＭＡＸトランシーバ１２は、取り外し可能なカード、モジュール、または、ボードの一部であってよく、ユーザデバイス１０と一体化されてよい。動作中、ＷｉＭＡＸトランシーバ１２は、遠隔のＷｉＭＡＸ  ＢＳ２０と無線通信してよい。ＷｉＭＡＸ  ＢＳ２４は、例えば、プライベートＬＡＮ、インターネット、および／または、その他を含む１つ以上の他のネットワークへのアクセスを提供してよい。図に示すように、ＷｉＭＡＸトランシーバ１２は、無線信号の送受信を容易にする１つ以上のアンテナ２６に結合されてよい。例えば、ダイポール、パッチ、ヘリカルアンテナ、アンテナアレイ、および／または、その他を含むいかなるタイプのアンテナが用いられてよい。ＭＩＭＯ（Ｍｕｌｔｉｐｌｅ  ｉｎｐｕｔ／ｍｕｌｔｉｐｌｅ  ｏｕｔｐｕｔ）動作もサポートされてよい。
【０００９】
ＧＭＳトランシーバ１４は、ＧＭＳ（ｇｌｏｂａｌ  ｓｙｓｔｅｍ  ｆｏｒ  ｍｏｂｉｌｅ  ｃｏｍｍｕｎｉｃａｔｉｏｎｓ）規格（および／または関連した規格）に従い、携帯電話の無線通信をサポートしてよい。ＧＳＭトランシーバ１４は、取り外し可能なカード、モジュール、または、ボードの一部であってよく、ユーザデバイス１０と一体化されてよい。動作中、ＧＳＭトランシーバ１４は、ユーザが他のメンバーとボイスコネクションすることを可能にする遠隔のＧＳＭ基地局（ＢＳ）２４と無線通信してよい。ＷｉＭＡＸトランシーバ１２と同様に、ＧＳＭトランシーバ１４も無線信号の送受信を容易にする１つ以上のアンテナ２８に結合されてよい。いかなるタイプのアンテナが用いられてよい。ＷｉＭＡＸトランシーバ１２、および、ＧＳＭトランシーバ１４は、それぞれの動作を制御する別々のコントローラ３０、３２を有してよい。コントローラ３０、３２は、それぞれ、例えば、汎用マイクロプロセッサ、ＤＳＰ（デジタルシグナルプロセッサ）、ＲＩＳＣ（縮小命令セットコンピュータ）、ＣＩＳＣ（複雑命令セットコンピュータ）、ＦＰＧＡ（フィールドプログラマブルゲートアレイ）、ＡＳＩＣ（特定用途向け集積回路）、および／または、その他、そしてそれらの組み合わせも含めた１つ以上のデジタル処理デバイスを含んでよい。
【００１０】
ＷｉＭＡＸトランシーバ１２とＧＳＭトランシーバ１４とが同時に動作する場合、トランシーバ１２、１４のいずれかまたは両方に、その動作を損なわせる干渉が生じる可能性がある。例えば、ＧＳＭトランシーバ１４は、ＷｉＭＡＸトランシーバ１２の使用帯域内に現れる高調波を生じる可能性がある。ＷｉＭＡＸ信号が受信されるのと同じ時間に上記高調波がＷｉＭＡＸトランシーバ１２によって受信されることにより、受信したＷｉＭＡＸ信号を正確に処理するＷｉＭＡＸレシーバの能力を損なう可能性がある。本発明は、ＷｉＭＡＸトランシーバ１２とＧＳＭトランシーバ１４とが同時に動作する際の、場合によっては有害な干渉の発生を減らすかまたは無くすよう用いられることができる技術に関する。
【００１１】
ＧＳＭ規格によれば、ユーザデバイス内のＧＳＭトランシーバと、対応するＧＳＭ  ＢＳとの間の通信は、それぞれ４．６３ミリ秒（ｍｓ）の持続時間を有する連続したフレーム内で行われる。ＷｉＭＡＸ規格も、一連のフレーム内での通信を規定する。特定のＷｉＭＡＸの実装に用いられるフレームの持続時間は、有効な持続時間の予め決められたグループから選択されてよい。ＷｉＭＡＸ動作に対してフレームの持続時間を選択できることが決められており、その結果、ＷｉＭＡＸフレーム持続時間の整数倍はＧＳＭフレーム持続時間の整数倍と等しくなる。このように、ＷｉＭＡＸフレームとＧＳＭフレームとの関係が繰り返される同時動作における反復可能なサイクルが決定されてよい。この反復サイクルによってＷｉＭＡＸフレームの識別が可能になり、すなわち、ＷｉＭＡＸフレームがアクティブなときはシステム内に干渉を生じさせる可能性があるということが識別できる。このような干渉の発生を回避すべく、その後それぞれの連続サイクルでのこれらＷｉＭＡＸフレーム内の通信を行わないようにしてよい。
【００１２】
図２は、本発明の一実施形態に係る、共通のデバイス内に配置されたＧＳＭトランシーバおよびＷｉＭＡＸトランシーバを含む通信状態の一例を示すタイミング図である。図２における上の信号ストリーム４０は、複数のＷｉＭＡＸユーザ（対象のユーザデバイスを含む）と、対応するＷｉＭＡＸ基地局との間の通信を表す。図２の下の信号ストリーム４２は、複数のＧＳＭユーザ（対象のユーザデバイスを含む）と、対応するＧＳＭ基地局との間の通信を表す。図に示すように、ＷｉＭＡＸ通信は、それぞれが５ｍｓの持続時間を有する一連のＷｉＭＡＸフレーム４４において実行される。同様に、ＧＳＭ通信は、それぞれが４．６３ｍｓの持続時間を有する一連のＧＳＭフレーム４６において実行される。これらのフレーム持続時間に基づき、１２個のＷｉＭＡＸフレームごとに１３個のＧＳＭフレームが発生する。したがって、ＧＳＭ通信およびＷｉＭＡＸ通信のどちらについても、１２のＷｉＭＡＸフレームごとに同じフレームパターンが繰り返されることになる。この反復フレームパターンをここでは「Ｏフレーム」と呼ぶ。
【００１３】
それぞれのＷｉＭＡＸフレーム４４内には、ダウンリンクサブフレーム４８とアップリンクサブフレーム５０とが存在する。ダウンリンクサブフレーム４８の間に、ＷｉＭＡＸ  ＢＳから、当該ＷｉＭＡＸ  ＢＳのサービスを受けているユーザデバイスに信号が送信される。この通信は、ＯＦＤＭＡ（直交周波数分割多元接続）技術を利用して、対応するセル内の複数の異なるユーザに対してアクセスを提供する。アップリンクサブフレーム５０の間では、ＷｉＭＡＸセル内のユーザデバイスからＷｉＭＡＸ  ＢＳへと信号が送信される。このアップリンク通信もＯＦＤＭＡ技術を利用する。各ダウンリンクサブフレーム４８は、通常、ダウンリンクサブフレーム４８、および、対応するアップリンクサブフレーム５０の特定の部分を初めに記述しているＭＡＰ情報を含んでおり、当該ＭＡＰ情報は、対応するＷｉＭＡＸセル内のそれぞれアクティブなユーザデバイスによって用いられるはずである。セル内の各ユーザデバイスは、このＭＡＰ情報を読み取り、いつ、どんなサブキャリアによってデータを受信し、いつ、どんなサブキャリアによってデータを送信できるかを知る。
【００１４】
各ＧＳＭフレーム４６は、それぞれが５７７マイクロ秒（μｓ）の持続時間を有する８つのタイムスロットに分割される。典型的な構成では、各ＧＳＭフレーム４６内の第１のタイムスロットは、対象のユーザデバイスがＧＳＭ  ＢＳから音声信号を受信する時間間隔である受信タイムスロットであってよい。各ＧＳＭフレーム４６内の４つのタイムスロットは、ユーザデバイスがＧＳＭ  ＢＳに音声信号を送信する（同じボイスコールの一部として）時間間隔である送信タイムスロットであってよい。ユーザデバイスは、連続した受信タイムスロットを介して受信した音声信号を組み立て直してユーザに聞こえるような可聴音声信号を生成する。
【００１５】
一般的に、ＷｉＭＡＸ  ＢＳおよびＧＳＭ  ＢＳは、互いに独立して動作する。したがって、ＢＳ同士の間には時間同期は存在せず、２つのストリームにおけるフレームは、時間的には位置合わせされていなくてよい。対象のユーザデバイス内のＧＳＭトランシーバは、対応するＧＳＭ受信タイムスロットの始まりを識別する信号、または、対応するＧＳＭ送信タイムスロットの始まりを識別する信号を生成してよい。これらの信号を、本願明細書中ではＲＳＴＡＲＴおよびＴＳＴＡＲＴとそれぞれ呼ぶことにする。本発明の少なくとも１つの実施形態では、ＧＳＭトランシーバの変更を必要とせずに（例えば、ＧＳＭベースバンドセクションとＲＦＦＥ（無線周波数フロントエンド）との間のＴＸ／ＲＸインジケータなど）、既存の信号がＴＳＴＡＲＴまたはＲＳＴＡＲＴ信号として用いられてよい。本発明のいくつかの実施形態では、ＴＳＴＡＲＴまたはＲＳＴＡＲＴ信号は、干渉を避ける措置として、対象のユーザデバイス内におけるＧＳＭトランシーバ１４からＷｉＭＡＸトランシーバ１２まで送られてよい。
【００１６】
ＷｉＭＡＸトランシーバ１２は、ＴＳＴＡＲＴまたはＲＳＴＡＲＴ信号（あるいは同様のタイミング信号）を受信すると、受信した信号を用いてＯフレームの始まりを定めてよい。１つのアプローチとしては、ＷｉＭＡＸフレームｉの始まりと、ＧＳＭフレームｊ内のＧＳＭ送信スロットの終わりとの間の差（すなわち、Ｗｉ−ＴＧｊ）を表すパラメータｄｅｌｔａｉ，ｊが定められてよい。ＷｉＭＡＸトランシーバ１２は、自身のフレームのタイミングを知っており、ＴＳＴＡＲＴまたはＲＳＴＡＲＴ信号に基づきＧＳＭフレームのタイミングを決定する。ＷｉＭＡＸトランシーバは、タイミング情報を用いて１２個の連続したＷｉＭＡＸフレーム内の最小絶対値を有するｄｅｌｔａｉ，ｊを決定する。この決定は、６０ｍｓサイクルの反復性を知った上での計算によりなされる。すなわち、最小の｜ｄｅｌｔａｉ，ｊ｜を決定する前に全サイクルが終了するのを待つ必要はない。少なくとも１つの実施態様では、計算は、ＷｉＭＡＸトランシーバ内における最初のＴＳＴＡＲＴまたはＲＳＴＡＲＴ信号検出の５ｍｓ以内に実行される。最小｜ｄｅｌｔａｉ，ｊ｜が見つかると、Ｏフレームサイクルの始まりは、識別された値に対応するＷｉＭＡＸの始まりに設定される。上述のごとく、少なくとも１つの実施態様では、Ｏフレームサイクルは、１２のＷｉＭＡＸフレームと、１３のＧＳＭフレームとを含み、６０ｍｓおきに繰り返される。
【００１７】
Ｏフレームが確定された後、ＷｉＭＡＸトランシーバ１２は、ＯフレームにおけるＷｉＭＡＸフレームのどれがＧＳＭボイスコールの送信または受信動作と競合するかを決定してよい。上述のごとく、ＧＳＭトランシーバ１４の送信には、ＷｉＭＡＸトランシーバ１２の使用周波数帯域内の高調波が含まれてよい。したがって、ＷｉＭＡＸトランシーバ１２は、ＧＳＭ送信タイムスロットがＷｉＭＡＸダウンリンクサブフレームと重複するＯフレーム内のＷｉＭＡＸフレームをまず識別してよい。いくつかの状況では、ＷｉＭＡＸトランシーバからの無線送信は、ＧＳＭトランシーバのレシーバ内で干渉を生じさせる可能性もある。その可能性があるのなら、ＷｉＭＡＸトランシーバ１２は、ＧＳＭ受信スロットがＷｉＭＡＸアップリンクサブフレームと重複するＯフレーム内のＷｉＭＡＸフレームも識別してよい。ＷｉＭＡＸフレームが競合するかもしれないことが識別された後、ＷｉＭＡＸトランシーバ１２は、ＷｉＭＡＸ基地局２０と連携し、当該識別されたＷｉＭＡＸフレームの間に「非アクティブ」期間（すなわち規則正しい非アクティブ）を確定することにより、当該フレームの間は、対象のユーザデバイスと、ＷｉＭＡＸ  ＢＳとの間でのＷｉＭＡＸ通信動作を行わないようにしてよい。Ｏフレーム内の他のフレームは、対象のユーザデバイスとＷｉＭＡＸ  ＢＳとの間の通信を可能にする「アクティブ」フレームであってよい。少なくとも１つの実施形態では、ＷｉＭＡＸトランシーバ１２は、定められた非アクティブ期間は節電モード（例えばスリープモードなど）となり、エネルギーを節約するだろうが、これは必要条件ではない。
【００１８】
非アクティブフレームおよびアクティブフレームが定められた後、対象のユーザデバイス内のＷｉＭＡＸトランシーバ１２は、後続のそれぞれのＯフレームサイクルのアクティブフレーム内では動作するようになる。これは、例えば、ＧＳＭボイスコールが終了するか、または、何らかの他の終了イベントが発生するまで続いてよい。１つのアプローチとしては、例えば、ＷｉＭＡＸトランシーバ１２は、ＴＳＴＡＲＴまたはＲＳＴＡＲＴ信号が受信されてから予め決められた時間が経過すると、ＧＳＭボイスコールが終了したとみなしてよい。これが起きると、ＷｉＭＡＸトランシーバ１２は、ＷｉＭＡＸ  ＢＳと連携し、通常のＷｉＭＡＸ送信モードに戻す（例えば、すべての利用可能なＷｉＭＡＸフレームを用いて）。
【００１９】
ＷｉＭＡＸトランシーバ１２が非常に長い期間反復Ｏフレームサイクルのアクティブフレーム内で動作することを許されている場合、ＷｉＭＡＸクロックとＧＳＭクロックとの間のタイミングの差によって、非アクティブ期間とアクティブ期間とがもはや最適ではないという状況が最終的に起きる可能性がある。したがって、本発明の少なくとも１つの実施形態では、Ｏフレームサイクルの随時または定期的調整を実行してよい。例えば、１つのアプローチとしては、終了イベントなしに予め決められた数より多いＯフレームサイクルが発生した場合（または予め決められた時間が経過した場合）、Ｏフレームサイクルの始まりを決定し、非アクティブフレームおよびアクティブフレームを識別して設定するプロセスが繰り返されよい。再調整のタイミングは、例えば、最悪のケースのクロックエラー状況に基づき選択されてよい。
【００２０】
ＷｉＭＡＸネットワークに対する規則正しい非アクティブを実現するために異なるメカニズムが用いられてよい。いくつかの実施形態では、ネットワークに対する規則正しい非アクティブを対象のユーザデバイスに提供すべく、ＷｉＭＡＸ規格においてすでに利用可能な機構が用いられてよい。例えば、１つのアプローチとしては、ＷｉＭＡＸ規格では定期的な節電機能が提供されることを利用してネットワークに対する規則正しい非アクティブを実現する。他のアプローチでは、規則正しい非アクティブを実現するためにＷｉＭＡＸ規格の定期的スキャン機能が用いられる。他のメカニズムが代わりに用いられてもよい。ネットワークに対する規則正しい非アクティブを提供するために新しいメカニズム／プロトコルが開発されてもよい。
【００２１】
これまでの記載では、ＷｉＭＡＸ動作についてＯフレームを定義し、非アクティブフレームおよびアクティブフレームを設定することに関わる動作および計算のほとんどは、対象のユーザデバイスのＷｉＭＡＸトランシーバ内で実行されると説明してきた。他の場所が代わりに用いられてよいことを理解されたい。例えば、上記動作のいくつかまたはすべては、対象のユーザデバイスのホストコントローラまたはＧＳＭトランシーバ内で実行されてよい。
【００２２】
図３は、本発明の一実施形態に係る、ユーザデバイスにおけるＷｉＭＡＸトランシーバとＧＳＭトランシーバとの同時動作を提供する方法６０を示すフローチャートである。方法６０は、例えば、図１のユーザデバイス１０、あるいは、他のデバイスまたはシステム内で実施されてよい。まず、ユーザデバイスに関連付けられたＧＳＭフレームのストリームと、同時に発生するＷｉＭＡＸフレームのストリームとの範囲の反復フレームパターン（例えばＯフレーム）が識別される（ブロック６２）。そして、反復フレームパターン内の、ＧＳＭ通信動作と競合する可能性のあるＷｉＭＡＸフレームが識別される（ブロック６６）。例えば、時間的にＧＳＭ送信スロットと重複するダウンリンクサブフレームを有するＷｉＭＡＸフレームは、ＧＳＭ通信動作と競合する可能性のあるＷｉＭＡＸフレームであると識別されてよい。同様に、時間的にＧＳＭ受信スロットと重複するアップリンクサブフレームを有するＷｉＭＡＸフレームは、ＧＳＭ通信動作と競合する可能性のあるＷｉＭＡＸフレームとして識別されてよい。
【００２３】
ＷｉＭＡＸフレームが識別された後、対象のユーザデバイスは、ＷｉＭＡＸ基地局と連携し、識別されたフレームの間は対象のユーザデバイスに対しての通信動作を予定しなくてよい（すなわち非アクティブ）（ブロック６６）。さまざまな実施形態では、これらのフレームの間にネットワークに対して非アクティブとなるよう、複数の異なるメカニズムのいずれかが用いられてよい。続くＯフレームでは、ＷｉＭＡＸ通信は、アクティブなＷｉＭＡＸフレームでのみ実行される（ブロック６８）。対象のユーザデバイスでは、非アクティブフレーム内ではＷｉＭＡＸ通信動作は実行されない。少なくとも１つの実施形態では、対象のユーザデバイス内のＷｉＭＡＸトランシーバは、非アクティブフレーム間では節電モード動作（例えば、スリープモードなど）になり、エネルギーが節約される。終了イベントが検出されるまで、反復Ｏフレームのアクティブフレーム内ではＷｉＭＡＸ通信が続けられる（ブロック７０）。終了イベントは、例えば、ＧＳＭコールおよび／または何らかの他のイベントの終了の検出を含んでよい。一実施形態では、ＧＳＭコールの終了は、ＴＳＴＡＲＴまたはＲＳＴＡＲＴ信号（あるいは他のＧＳＭタイミング信号）がＧＳＭトランシーバから受信されてから予め決められた時間が経過したことがわかったときに検出される。終了イベントが検出されると、対象のユーザデバイスは、ＷｉＭＡＸ  ＢＳと連携して通常のＷｉＭＡＸ動作を再開する（ブロック７２）。少なくとも１つの実施形態では、終了イベントがブロック７０で検出される前に予め決められた時間が経過した場合、方法６０は、ブロック６２に戻ってよい。このように、反復フレームパターンが再確定され、非アクティブフレームとアクティブフレームとは、現在の状態に基づき再評価されてよい。
【００２４】
図４は、本発明の一実施形態に係る、ＧＳＭフレームストリームおよびＷｉＭＡＸフレームストリームの反復フレームパターンを識別する方法８０の一例を示すフローチャートである。まず、ＧＳＭトランシーバから、ＧＳＭ音声通信のＧＳＭ送信スロットおよび／または受信スロットのタイミングを示すタイミング信号（例えば、ＴＳＴＡＲＴ、ＲＳＴＡＲＴなど）を受信する（ブロック８２）。そして、上述のようなパラメータ｜ｄｅｌｔａｉ，ｊ｜の最小値を見つけるべくタイミング信号が用いられる（ブロック８４）。最小｜ｄｅｌｔａｉ，ｊ｜に対応するＷｉＭＡＸフレームの始まりは、反復フレームパターンの始まりとして定義される（ブロック８６）。
【００２５】
上記実施形態において、Ｏフレームは、連続する１２個のＷｉＭＡＸフレームと、連続する１３個のＧＳＭフレームとに及ぶと説明されている。整数個のＷｉＭＡＸフレームが異なる整数個のＧＳＭフレームと同じ持続時間を有するような、別のフレームの組合せが代わりに用いられてもよい。本発明の技術は、フレームストリームを用いて通信する他の無線技術と共に用いられてよいことを理解されたい。
【００２６】
本発明の技術および構造は、さまざまな異なる形態のいずれに実装されてもよい。例えば、本発明の特徴は、無線機能を有するラップトップ、パームトップ、デスクトップ、および、タブレットコンピュータ、無線機能を有するＰＤＡ（パーソナル携帯情報機器）、携帯電話および他のハンドヘルド無線通信機器、ポケベル、衛星通信機器、無線機能を有するカメラ、無線機能を有するオーディオ／ビデオデバイス、ネットワークインターフェースカード（ＮＩＣ）および他のネットワークインターフェース構造、基地局、無線アクセスポイント内で、集積回路において、マシン可読媒体に格納される命令および／またはデータ構造として、および／または、他の形態で実現されてよい。用いられうる異なるタイプのマシン可読媒体の例は、フロッピーディスケット、ハードディスク、光ディスク、ＣＤ−ＲＯＭ、ＤＶＤ、ブルーレイディスク、光磁気ディスク、ＲＯＭ（リードオンリーメモリ）、ＲＡＭ（ランダムアクセスメモリ）、ＥＰＲＯＭ（消去可能プログラマブルＲＯＭ）、ＥＥＰＲＯＭ（登録商標）（電気的消去可能ＰＲＯＭ）、磁気または光カード、フラッシュメモリ、および／または、電子命令またはデータを格納するのに適した他のタイプの媒体を含む。本願明細書中に用いられるような、「ロジック」という用語は、例えば、ソフトウェアまたはハードウェア、および／または、ソフトウェアとハードウェアとの組合せを含んでよい。
【００２７】
上記詳細な説明では、開示を合理化する目的からさまざまな実施形態が単一の実施形態にまとめられている。この開示方法は、請求される実施形態が各請求項に明確に示されるものより多くの特徴を要求するという意図を反映しているとは解釈されるべきでない。むしろ、以下の請求項の範囲が反映するように、発明の側面は、それぞれ開示された実施形態のすべての特徴より少ない。
【００２８】
これまで本発明を特定の実施形態に関連付けて説明してきたが、当業者にとっては明らかなように、本発明の趣旨および範囲に逸脱せずにさまざまな修正および変更がなされてよいことを理解されたい。そのような修正および変更は、本発明の権利範囲および添付の請求項の範囲内にあるものとみなされる。
【図１】
2010515373.tif 000003
【図２】
2010515373.tif 000004
【図３】
2010515373.tif 000005
【図４】
2010515373.tif 000006
【国際調査報告】
2010515373.tif 000007
2010515373.tif 000008